(57)【要約】【課題】消費電力の低減や輝度の増大を図ることができる電灯や照明器具を提供すること。【解決手段】本発明では、電灯（５）を保持する保持部（１４）と光を放射する光源部（１５）とを上下に配置し、保持部（１４）と光源部（１５）との間に光源部（１５）で発生した熱を放出する放熱部（１６）を配置した電灯（５）において、放熱部（１６）は、左右に貫通する放熱路（２９）を有することにした。前記放熱部（１６）は、前後に貫通する放熱路（２８）をも有することにした。また、本発明では、電灯（５）と、反射傘（２）と、電灯（５）及び反射傘（２）を支持する支持体（３）とを有する照明器具（１）において、支持体（３）は、電灯（５）に形成した放熱路（２９）と対応する位置に貫通孔（１３）を設けることにした。【選択図】図１
2017182948.tif 000002
【特許請求の範囲】
【請求項１】
電灯を保持する保持部と光を放射する光源部とを上下に配置し、保持部と光源部との間に光源部で発生した熱を放出する放熱部を配置した電灯において、
放熱部は、左右に貫通する放熱路を有することを特徴とする電灯。
【請求項２】
前記放熱部は、前後に貫通する放熱路をも有することを特徴とする請求項１に記載の電灯。
【請求項３】
電灯と、反射傘と、電灯及び反射傘を支持する支持体とを有する照明器具において、
電灯は、電灯を保持する保持部と光を放射する光源部とを上下に配置し、保持部と光源部との間に光源部で発生した熱を放出する放熱部を配置し、放熱部に左右に貫通する放熱路を形成し、
支持体は、電灯に形成した放熱路と対応する位置に貫通孔を設けたことを特徴とする照明器具。
【発明の詳細な説明】
【技術分野】
【０００１】
本発明は、電灯及びそれを用いた照明器具に関するものである。
【背景技術】
【０００２】
電灯は、電気エネルギーを光に変換して放射する仕組みとなっているために、エネルギー変換時に熱が発生する。この熱を良好に放出（排出）しなければ、電灯の寿命が短くなるばかりでなく、消費電力の増大や輝度の低下を招いてしまう。特に、近年多用されてきている無電極ランプやＬＥＤなどにおいては、放熱が重要な技術要素となっている。
【０００３】
そのため、無電極ランプやＬＥＤなどを光源として用いた電灯では、光源で発生した熱を放出するために柱形状の放熱部材が設けられている（たとえば、特許文献１参照。）。
【先行技術文献】
【特許文献】
【０００４】
【特許文献１】特開２０１０−５００５８号公報
【発明の概要】
【発明が解決しようとする課題】
【０００５】
上記従来の電灯においては、放熱部材が柱形状となっており、その外周面から熱を放出させる構造となっている。
【０００６】
そのため、放熱する面積（放熱部材の外周面の面積）が限られてしまい、光源で発生した熱を良好に放出させることができず、消費電力の低減や輝度の増大を図ることが困難であった。
【０００７】
特に、電灯の周囲に反射傘を設けた照明器具では、電灯の周囲に熱が滞留してしまい、放熱が良好にできないおそれがあった。
【課題を解決するための手段】
【０００８】
そこで、請求項１に係る本発明では、電灯を保持する保持部と光を放射する光源部とを上下に配置し、保持部と光源部との間に光源部で発生した熱を放出する放熱部を配置した電灯において、放熱部は、左右に貫通する放熱路を有することにした。
【０００９】
また、請求項２に係る本発明では、前記請求項１に係る本発明において、前記放熱部は、前後に貫通する放熱路をも有することにした。
【００１０】
また、請求項３に係る本発明では、電灯と、反射傘と、電灯及び反射傘を支持する支持体とを有する照明器具において、電灯は、電灯を保持する保持部と光を放射する光源部とを上下に配置し、保持部と光源部との間に光源部で発生した熱を放出する放熱部を配置し、放熱部に左右に貫通する放熱路を形成し、支持体は、電灯に形成した放熱路と対応する位置に貫通孔を設けることにした。
【発明の効果】
【００１１】
そして、本発明では、以下に記載する効果を奏する。
【００１２】
すなわち、本発明では、電灯を保持する保持部と光を放射する光源部とを上下に配置し、保持部と光源部との間に光源部で発生した熱を放出する放熱部を配置した電灯において、放熱部は、左右に貫通する放熱路を有しているために、放熱部における放熱する面積を増大させることができるとともに、熱の流れを円滑にすることができ、光源部で発生した熱を良好に放射させることができる。
【００１３】
そのため、本発明では、電灯の消費電力の低減や輝度の増大を図ることができる。
【００１４】
特に、放熱部に前後に貫通する放熱路をも設けた場合には、さらに放熱する面積の増大や熱の流れの円滑化を図ることができ、より一層電灯の消費電力の低減や輝度の増大を図ることができる。
【００１５】
また、本発明では、電灯と、反射傘と、電灯及び反射傘を支持する支持体とを有する照明器具において、電灯は、電灯を保持する保持部と光を放射する光源部とを上下に配置し、保持部と光源部との間に光源部で発生した熱を放出する放熱部を配置し、放熱部に左右に貫通する放熱路を形成し、支持体は、電灯に形成した放熱路と対応する位置に貫通孔を設けているために、電灯の放熱部の放熱路から放出された熱を支持体の貫通孔から良好に放出させることができるので、電灯の光源部で発生した熱を良好に放出させることができ、照明器具の消費電力の低減や輝度の増大を図ることができる。
【図面の簡単な説明】
【００１６】
【図１】照明器具を示す平面図（ａ）、正面図（ｂ）、正面部分断面図（ｃ）。
【図２】電灯を示す平面図（ａ）、正面図（ｂ）、正面分解説明図（ｃ）。
【図３】電灯の保持部を示す平面図（ａ）、正面図（ｂ）。
【図４】電灯の光源部を示す平面図（ａ）、部分正面図（ｂ）。
【図５】電灯の放熱部を示す平面図（ａ）、正面図（ｂ）。
【発明を実施するための形態】
【００１７】
以下に、本発明に係る照明器具及びそれに用いられる電灯の具体的な構成について図面を参照しながら説明する。
【００１８】
図１に示すように、照明器具１は、反射傘２の上端部に支持体３の下端部を取付けるとともに、支持体３の上端部に取付具４を介して電灯５の上部を上下位置調節可能に取付けて、反射傘２及び電灯５を支持体３で支持する構成となっている。なお、以下の説明では、照明器具１が天井等に取付けられて電灯５から下方に向けて光を照射する状態で使用される場合を想定して説明するが、本発明に係る照明器具１や電灯５は、壁等に横向きに取付けられて側方を照射する状態で使用される場合や床等に上向きに取付けられて上方を照射する状態で使用される場合なども有り得る。
【００１９】
反射傘２は、下向き椀型形状となっており、上下端に開口6,7が形成されるとともに、内面に光を反射し拡散させる反射面８が形成されている。上端の開口６には、電灯５が上下に移動可能に挿通される。下端の開口７からは、電灯５から放射された光が下方に向けて照射される。なお、反射面８は、電灯５の上下位置に応じて光が拡散する範囲（光を照射する範囲）が広狭する形状となっており、ここでは、電灯５の位置を下げるほど光を照射する範囲が広がる形状としている。
【００２０】
支持体３は、上端に取付具４を支持する円環板状の座体９を設けるとともに、下端に反射傘２を支持する円環板状の座体10を設け、上下の座体9,10の間に４本の支柱11を設け、４本の支柱11に円環状の８個の桟12を上下に間隔をあけて設けている。これにより、支持体３には、内側から外側に貫通する複数（36個）の貫通孔13が形成される。上下の座体9,10の内側には、電灯５が上下に移動可能に挿通される。
【００２１】
取付具４は、電灯５の上部に着脱可能に取付けられ、支持体３の上端の座体９の上面で支持される。この取付具４を電灯５に取付ける位置を上下に変更することで、電灯５の上下位置を調節することができるようになっている。なお、ここでは、２枚の板で電灯５の上部を挟持した状態でボルト・ナットを用いて着脱自在に締結する構成としているが、これに限られず、支持体３と電灯５とを取付けることができる構成であればよい。
【００２２】
電灯５は、図２に示すように、電灯５を保持する保持部14と光を放射する光源部15とを上下に配置し、保持部14と光源部15との間に光源部15で発生した熱を放出する放熱部16を配置した構成となっている。ここでは、保持部14と光源部15と放熱部16とをそれぞれ別体で形成してネジ等の締結具17で一体化させるようにしているが、これに限られず、全体を一体的に形成してもよく、保持部14と光源部15や光源部15と放熱部16を一体的に形成してもよい。
【００２３】
保持部14は、図３に示すように、上下に伸延する円柱状の本体18の下端に円板状の座体19を形成する。本体18には、前面に取付位置を示す表示20が設けられており、この表示20を参考にして取付具４を容易に取付けられるようになっている。ここでは、複数の水平線を上下に間隔をあけて刻設して、上下の取付位置を容易に調節できるようにしている。座体19には、締結具17を挿通させるための貫通孔21が形成されている。なお、保持部14は、電灯５を保持できるものであればよく、白熱電球などに見られる口金型のものであってもよい。
【００２４】
光源部15は、図４に示すように、電球22の上端部に連結体23を取付けている。電球22は、光源を収容した中空状の透明（無色透明に限られず有色透明でもよい。）なガラス等で形成され、形状が限定されるものではない。連結体23は、電球22に収容された光源を支持するもので、安定器等の電気回路と光源とを接続するための電線や電極などが設けられていてもよい。連結体23の形状も限定されるものではないが、ここでは、円柱状の連結体23の外周面に半径方向へ向けて放射状に突出させたフィン24を円周方向に間隔をあけて形成することで放熱ができるような形状としている。連結体23の上面には、締結具17を着脱自在に取付ける（螺着する）ための締結孔25を形成している。
【００２５】
放熱部16は、図５に示すように、円板状の基台26の上面に上下に直線状に伸延する複数の円柱状のフィン27を前後及び左右に等しい間隔をあけて格子配列状に設けている。このように、放熱部16は、基台26に複数のフィン27を前後左右に間隔をあけて配置することで、前後方向に貫通する複数の放熱路28と左右方向に貫通する複数の放熱路29とを形成している。なお、放熱部16には、放熱部16（基台26）の中心から周囲外方（半径方向）に向けて放射状にも放熱路が形成されている。基台26には、締結具17を挿通させるための貫通孔30が形成されている。
【００２６】
この放熱部16は、保持部14の座体19の下面と光源部15の連結体23の上面との間に締結具17によって密着状に挟持される。そして、電灯５を点灯した場合には、光源部15の光源で発生した熱が連結体23を介して放熱部16に伝わり、放熱部16のフィン27から放出される。なお、熱は光源部15の連結体23のフィン24や放熱部16の基台26の表面からも放出される。その際に、放熱部16のフィン27が円柱形状となっているために、熱は各フィン27の周囲に放射状に均等に放出される。基台26の外側に設けられたフィン27からは熱がそのまま外方に放出されるが、基台26の内側に設けられたフィン27からは熱が前後左右に貫通する放熱路28,29を通って外方に放出される。放熱部16から放出された熱は、支持体３に形成された貫通孔13から外部に放出される。そのため、支持体３には、放熱部16と対応する位置に貫通孔13が設けられることが望ましく、特に放熱部16の放熱路28,29と対応（対向）する位置に貫通孔13が設けられることが好ましい。
【００２７】
以上に説明したように、上記電灯５は、電灯５を保持する保持部14と光を放射する光源部15とを上下に配置し、保持部14と光源部15との間に光源部15で発生した熱を放出する放熱部16を配置した構成となっており、放熱部16は、左右に貫通する放熱路29を有する構成となっている。
【００２８】
そのため、上記構成の電灯５では、放熱部16における放熱する面積を増大させることができるとともに、熱の流れを円滑にすることができ、光源部15で発生した熱を良好に放射させることができる。これにより、上記構成の電灯５では、消費電力の低減や輝度の増大を図ることができる。
【００２９】
また、上記電灯５は、放熱部16に前後に貫通する放熱路28をも設けた構成となっている。
【００３０】
そのため、上記構成の電灯５では、さらに放熱する面積の増大や熱の流れの円滑化を図ることができ、より一層消費電力の低減や輝度の増大を図ることができる。
【００３１】
また、上記照明器具１は、電灯５と、反射傘２と、電灯５及び反射傘２を支持する支持体３とを有する構成となっており、支持体３は、上記電灯５に形成した放熱路29と対応する位置に貫通孔13を設けた構成となっている。
【００３２】
そのため、上記構成の照明器具１では、電灯５の放熱部16の放熱路29から放出された熱を支持体３の貫通孔13から良好に放出させることができるので、電灯５の光源部15で発生した熱を良好に放出させることができ、消費電力の低減や輝度の増大を図ることができる。
【符号の説明】
【００３３】
１  照明器具                      ２  反射傘
３  支持体                        ４  取付具
５  電灯                          6,7  開口
８  反射面                        9,10  座体
11  支柱                          12  桟
13  貫通孔                        14  保持部
15  光源部                        16  放熱部
17  締結具                        18  本体
19  座体                          20  表示
21  貫通孔                        22  電球
23  連結体                        24  フィン
25  締結孔                        26  基台
27  フィン                        28,29  放熱路
30  貫通孔
【図１】
2017182948.tif 000003
【図２】
2017182948.tif 000004
【図３】
2017182948.tif 000005
【図４】
2017182948.tif 000006
【図５】
2017182948.tif 000007